(57)【要約】【課題】ポップアップ式ストロボを有するカメラ等において、より絶縁性、遮光性、防塵性にすぐれた機構を有する電子機器を提供すること。【解決手段】可動機構を、可動部と、付勢部と、固定部で構成する。可動部の筐体を一体の箱形状で形成し、前面に開口窓を設け、下面は開放する。保持部材に、電気回路部品とそれを覆うカバー部材を取付ける。その保持部材を筐体の下面から挿入し、カバー部材の前面に突出して設けた凸面部を筐体の開口窓に勘合させ、保持部材の背面に下面からスペーサーを挿入して固定する。【選択図】図１
2016085246.tif 000002
【特許請求の範囲】
【請求項１】
内部に電気回路部品（２２、３２）を収納する電子機器の筐体（３５）の構造において、
該筐体は、
開放された下面（３５ｃ）と、開口窓（３５ｂ）を有する前面（３５ａ）と、を含んで構成する箱形状を成し、
該筐体の内部に、
保持部材（３１）と、該保持部材に重ねて該筐体に収納されるスペーサー（３６）と、を有し、
該保持部材に、
該電気回路部品と、該電気回路部品を覆うカバー部材（２１）と、
を取付け、
該保持部材を、該筐体の開放された該下面から該筐体の内部へ挿入してから、
該カバー部材の前面に突出して設けた凸面部（２１ａ）を該筐体の該開口窓に勘合する様に、該保持部材を該前面の方向へ移動させ、
移動後に、該保持部材と、該筐体の後面（３５ｄ）との間に生じる隙間に、該スペーサーを収納して構成することを特徴とする可動部を有する電子機器。
【請求項２】
該カバー部材の前面に突出して設けた該凸面部の側面に、前面方向へ向かうに従い先細りするテーパ面（２１ｂ）を設けたことを特徴とする請求項１に記載の可動部を有する電子機器。
【請求項３】
該電気回路部品は、ストロボ発光するためのキセノン管（２２）と、該キセノン管に電圧を印加するトリガー（３２）を含み、
該カバー部材は、絶縁性を有する透明樹脂で形成され、該キセノン管と該トリガーとを接続する配線部（３０）を覆うことを特徴とする請求項１又は請求項２に記載の可動部を有する電子機器。
【請求項４】
該筐体は、遮光性を有する樹脂で形成され、
該キセノン管からの発光は、該カバー部材を透過して、該開口窓から被写体へ向けて照射されることを特徴とする請求項３に記載の可動部を有する電子機器。
【発明の詳細な説明】
【技術分野】
【０００１】
本発明は、電子機器の筐体の構造に関し、特に、ポップアップ式ストロボ内蔵カメラの、ポップアップ部の筐体構造に関する。
【背景技術】
【０００２】
カメラには、暗い被写体の光量を補うため、筐体の一隅にストロボが設けられている。特に小型で鏡筒が大きいカメラにおいては、鏡筒先端でストロボ光が遮られて被写体に届かなくなる、所謂「ケラレ」現象を防ぐため、ストロボ発光部を上昇させる「ポップアップストロボ」を搭載したものがある。
【０００３】
従来のポップアップストロボのストロボ発光部の筐体構造には、特許文献１の様に、箱型状の筐体の前面から順次必要部材を組込み、最後にフレネル部材を被せて構成する、といったものがある。また特許文献２の様に、筐体の前面と下面を開放し、前面から発光部の光学部材を組込み、下面からキセノン管やリフレクター等の電気回路部材を組み込む、といったものがある。
【先行技術文献】
【特許文献】
【０００４】
【特許文献１】特開２０００−３１０８０９号公報
【特許文献２】特開２００１−３１１９８６号公報
【発明の概要】
【発明が解決しようとする課題】
【０００５】
一般に、ストロボ発光部周辺は高電圧を扱うことから、外部との絶縁距離を充分確保することが必要であり、また前面から被写体へ向けて発光する以外への光漏れが生じない様、充分な遮光性を有する必要もある。特にポップアップストロボの場合には、カメラ本体から発光部が突出した状態で機能するため、これらの絶縁性や遮光性はカメラ本体の外装カバーに頼ることなく、発光部を囲う筐体だけで完結していなければならない。かつ、カメラ本体から突出した状態での落下や衝撃等、外圧に耐えうる充分な強度も必要である。
【０００６】
これらの点において、特許文献１の方法では、充分な絶縁距離を確保するためにフレネル部材を発光部の周囲へ大きく張り出して絶縁距離をかせぐ必要があり、正面の美観や強度が損なわれる。また特許文献２の方法では、筐体の開放面が多くなるため、絶縁性に加えて遮光性や強度の点でも対処が難しく、そのための追加スペースや補強部材が必要となっている。
【０００７】
そこで、本出願に係る発明の目的は、カメラ一体型ポップアップストロボの様な電子機器の筐体の構造において、絶縁性、遮光性、強度を確保しながら、より所要スペースが小さい構造を有する電子機器を提供することにある。
【課題を解決するための手段】
【０００８】
上記の課題を解決するために、請求項１の発明は、
内部に電気回路部品（２２、３２）を収納する電子機器の筐体（３５）の構造において、
該筐体は、
開放された下面（３５ｃ）と、開口窓（３５ｂ）を有する前面（３５ａ）と、を含んで構成する箱形状を成し、
該筐体の内部に、
保持部材（３１）と、該保持部材に重ねて該筐体に収納されるスペーサー（３６）と、を有し、
該保持部材に、
該電気回路部品と、該電気回路部品を覆うカバー部材（２１）と、
を取付け、
該保持部材を、該筐体の開放された該下面から該筐体の内部へ挿入してから、
該カバー部材の前面に突出して設けた凸面部（２１ａ）を該筐体の該開口窓に勘合する様に、該保持部材を該前面の方向へ移動させ、
移動後に、該保持部材と、該筐体の後面（３５ｄ）との間に生じる隙間に、該スペーサーを収納して構成することを特徴とする電子機器である。
【０００９】
請求項２の発明は、請求項１の電子機器において、
該カバー部材の前面に突出して設けた該凸面部の側面に、前面方向へ向かうに従い先細りするテーパ面（２１ｂ）を設けたことを特徴とする。
【００１０】
請求項３の発明は、請求項１又は請求項２の電子機器において、
該電気回路部品は、ストロボ発光するためのキセノン管（２２）と、該キセノン管に電圧を印加するトリガー（３２）を含み、
該カバー部材は、絶縁性を有する透明樹脂で形成され、該キセノン管と該トリガーとを接続する配線部（３０）を覆うことを特徴とする。
【００１１】
請求項４の発明は、請求項３の電子機器において、
該筐体は、遮光性を有する樹脂で形成され、
該キセノン管からの発光は、該カバー部材を透過して、該開口窓から被写体へ向けて照射されることを特徴とする。
【発明の効果】
【００１２】
請求項１の電子機器によれば、筐体は、前面の開口窓と下面以外の全体を密閉構造で形成できるので、強度が強く、防塵性にも優れたものができる。また、内臓部材を予め事前に組み立ててから挿入できるので作業性もよい。請求項２の電子機器によれば、カバー部材の突出部側面にテーパを設けたので、組み立て作業性が良い。請求項３の電子機器によれば、ストロボ発光に必要な高圧電気回路と、前面の開口窓との間を、カバー部材で遮蔽して絶縁できるので、外部から電気回路までの距離を充分に離し、より絶縁性に優れたものにすることができる。請求項４の電子機器によれば、全体を密閉構造で形成する筐体に遮光性があるので、ストロボの光を開口窓だけから発光し、それ以外の周囲への光漏れを防止することが容易である。
【図面の簡単な説明】
【００１３】
【図１】本発明による電子機器（カメラ）
【図２】電子機器（カメラ）の分解図
【図３】ストロボユニットの詳細図
【図４】付勢部１３の詳細図
【図５】付勢部１３の作動図
【図６】可動部１２の分解図
【図７】可動部１２の分解図
【図８】可動部１２の組立図
【図９】可動部１２の組立図
【図１０】固定部１４の分解図
【図１１】固定部１４の組立図
【図１２】固定部１４の組立図
【図１３】固定部１４の組立図
【図１４】固定部１４の組立図
【図１５】可動部１２の作動図
【図１６】可動部１２の作動図
【発明を実施するための形態】
【００１４】
以下、本発明を実施するための形態を図面に基づいて説明する。
【実施例１】
【００１５】
図１に本発明の第一実施例による電子機器を示す。また図２はその分解図である。１はカメラ本体で、主に、フロントカバー２、リアカバー３、トップカバー４、電池収納部５、鏡筒ユニット６、画像表示部７、およびストロボユニット８で構成されている。鏡筒ユニット６は、メインスイッチ９がＯＦＦの時はカメラ本体１に収納されているが、メインスイッチ９がＯＮの時は前面へ繰り出し、ズームレバー１０の操作によって撮影画角を調整することができる。また１１は撮影開始を指示するレリーズボタンである。
【００１６】
次に、画像表示部７は、撮影する画像の確認や記録された画像の表示を行うほか、撮影に必要な各種情報、例えば撮影する被写体が暗い場合、ストロボをポップアップする様に撮影者へ促すためのアイコンやガイド等を表示する。ストロボユニット８は、撮影者が右手でカメラ本体１を保持して撮影するときに手で覆ってしまわない様に、鏡筒ユニット６をはさんだ反対側に配置している。また、ストロボを使用しない時は図１（Ａ）の様に可動部１２がトップカバー４の開口部４ａに収納され、使用する場合は図１（Ｂ）の様に可動部１２を開口部４ａからポップアップさせて、被写体に向ける。使用後は、可動部１２を押し下げて図１（Ａ）の様に開口部に収納させる。
【００１７】
次に、ストロボユニット８について、まず概要を説明する。図３に、ストロボユニット８の構成を示す。このストロボユニット８は、主に、可動部１２と、付勢部１３と、固定部１４で構成されている。
【００１８】
まず、付勢部１３を説明する。図４は付勢部１３の詳細図であり、図４（Ａ）は完成状態で、図４（Ｂ）はその分解図である。１５は第一レバーで、両端部に第一軸穴１５ａおよび第二軸穴１５ｂを有し、その間にビス穴１５ｃを有する。また１６は第二レバーで、両端部に第一軸穴１６ａおよび第二軸穴１６ｂを有し、その間にビス穴１６ｃを有する。そして１７はレバー中間軸で、第一レバー１５の第二軸穴１５ｂと第二レバー１６の第二軸穴１６ｂに挿入して、第一レバー１５および第二レバー１６を回動可能に結合させる。
【００１９】
次に、１８は付勢バネで、一対の可動腕部１８ａおよび１８ｂを有し、これを第一レバー１５および第二レバー１６のビス穴１５ｃおよび１６ｃに、バネ掛けビス１９および２０で取り付ける。すると、図５の様に、レバー中間軸１７を中心に屈伸可能な状態となり、第一軸穴１５ａと１６ａが接近する様に押すと図５（Ａ）の様に屈曲し、それを放すと付勢バネ１８の力で図５（Ｂ）の様に伸びた状態へ戻る。
【００２０】
次に、可動部１２を説明する。図６は可動部１２の分解図である。２１はフレネルカバーで、絶縁性の透明アクリル材で形成され、略箱状の直方体をなし、正面にフレネルレンズ２１ａが突出して形成され、背面は開放されている。次に、２２はキセノン管で、端子２２ａおよび２２ｂに３００Ｖ程度の電圧を印加され、外径部２２ｃに５ｋＶ程度のトリガー電圧を印加されて発光するものである。この端子２２ａおよび２２ｂにリード線２３および２４を半田付けし、ゴム輪２７および２８を挿入する。次に、２９はリフレクターで、高輝度アルミ板材で形成され、接続部２９ａにリード線３０を取り付けて固定してある。これをキセノン管２２の外径部２２ｃに接し、リード線３０と共にフレネルカバー２１で覆われる様に嵌めて、可動部ベース３１に取り付ける。すると、可動部ベース３１に設けた３ヶ所の爪部３１ａ〜３１ｃがフレネルカバー２１に係止して、フレネルカバー２１とキセノン管２２とリフレクター２９が一体的に可動部ベース３１に保持された状態となる。
【００２１】
次に、３２はトリガーで、３００Ｖ程度の電圧を入力されて、５ｋＶ程度のトリガー電圧を出力するもので、入力部３２ａおよび３２ｂへリード線２５および２６を半田付けしておく。これを可動部ベース３１のトリガー取付部３１ｄに接着固定し、リフレクター２９に接続されたリード線３０を、出力部３２ｃに半田付けして配線する。これにより、トリガー３２は、リード線２５および２６から３００Ｖ程度の電圧入力を受けて、リード線３０およびリフレクター２９を経由して、キセノン管２２の外径部２２ｃに５ｋＶ程度のトリガー電圧を印加できる状態となる。
【００２２】
次に、キセノン管２２に接続されたリード線２３および２４と、トリガー３２に接続されたリード線２５および２６を、可動部ベース３１に配線してリード線出口３１ｅから出し、出口付近を接着剤で固定する。次に、リード線２３〜２６に、チューブ３３を取り付ける。チューブ３３は熱収縮性チューブを所定長さにカットして形成したもので、リード線２３〜２６を挿入してからチューブ３３の表面を半田コテ等で加熱すると、チューブ３３の内径が収縮して、リード線２３〜２６を束ねた状態になる。
【００２３】
次に、ここへ先ほど組み立てた付勢部１３を取り付ける。図６にて、第一レバー１５の第一軸穴１５ａを、可動部ベース３１の軸受部３１ｆに合わせ、第一レバー軸３４を挿入する。すると、付勢部１３は可動部ベース３１に回動可能に取り付けられた状態となる。
【００２４】
図７にここまで組み立てた可動部ベース３１の状態を示す。次に、３５は可動部ケースで、絶縁性および遮光性をもつ樹脂材料で形成され、略箱状の直方体を成し、被写体側に相当する前面３５ａには開口窓３５ｂが設けられている。そして、下面３５ｃは大きく開放され、内部を伺うことができる。この下面３５ｃに可動部３１を挿入して前面３５ａの方に寄せ、その背後にスペーサー３６を挿入する。
【００２５】
この様子を図８および９で詳しく説明する。まず、図８（Ａ）は可動部ケース３５に可動部ベース３１を挿入する前の状態である。この状態で全体の寸法をみると、可動部ベース３１の厚さ方向については、フレネルカバー２１の正面に設けたフレネルレンズ２１ａの前面から、可動部ベース３１の後面までが最も厚い寸法となっている。この寸法を、厚さ＝Ｔ１とする。また可動部ケース３５の内部寸法をみると、厚さ方向の空間は、前面３５ａの内側から後面３５ｄの内側までの距離＝Ｔ２で後面側に隙間があり、Ｔ２がＴ１より所定量＝ΔＴだけ大きい関係にある。また、幅方向については、図９（Ａ）の様に、可動部ベース３１の幅が最も幅広い寸法となっている。いま、この寸法を幅＝Ｗ１とする。また、幅方向の空間は、右面３５ｅの内側から左面３５ｆの内側までの距離＝Ｗ２で左右両側に隙間があり、Ｗ２もＷ１より所定量＝ΔＷ１＋ΔＷ２だけ大きい関係にある。
【００２６】
この可動部ケース３５に、前述の可動部ベース３１を取り付けるには、まず、可動部ベース３１を、開放された下面３５ｃから挿入する。このとき、厚さ方向をみると、図８（Ｂ）の様に、フレネルカバー２１と可動部ベース３１を組み合わせた厚さＴ１と、可動部ケース３５の内側寸法Ｔ２の間に、隙間ΔＴがあるので、スムーズに挿入できる。同じく、幅方向も、図９（Ｂ）の様に、可動部ベース３１の幅Ｗ１と、可動部ケース３５の内側寸法Ｗ２の間で、左右にそれぞれ隙間ΔＷ１およびΔＷ２があるので、スムーズに挿入できる。
【００２７】
そして、図９（Ｃ）の様に可動部ベース３１を可動部ケース３５の奥まで挿入したら、可動部ケース３５に設けた凸部３５ｇおよび３５ｈが可動部ベース３１に左右から接するので、可動部ベース３１が左右にガタつくことなく安定して可動部ケース３５の内部に保持される。また、このとき、図８（Ｃ）の様に、開口窓３５ｂの内側にフレネルレンズ２１ａが相対した状態となる。次に、可動部ベース３１を図８（Ｄ）の様に前面３５ａの方向へ移動させる。すると、前面３５ａにフレネルカバー２１が接し、開口窓３５ｂにフレネルレンズ２１ａが勘合される。このとき、フレネルレンズ２１ａの側面にはテーパ面２１ｂが設けられているので、スムーズに移動できる。そして、可動部ベース３１の背面と、可動部ケース３５の後面３５ｄとの間に隙間＝Ｓ１が生じる。
【００２８】
次に、ここへ図８（Ｄ）の様に下からスペーサー３６を挿入する。スペーサー３６は樹脂材料で形成され、厚さ＝Ｓ２の挿入部３６ａを有する。この厚さＳ２は、前述の隙間＝Ｓ１より所定量＝ΔＳだけ小さい関係にある。そして、３６ｂは凸部で、挿入部３６ａへ一体的に設けられ、前述の隙間＝Ｓ１と同等の厚さとなる様に設定している。また、３５ｉは可動部ケース３５の後面３５ｄに一体的に設けられた凸部で、同様に、前述の隙間＝Ｓ１より所定量＝ΔＳだけ小さいくなる様に設定してある。したがって、スペーサー３６の挿入部３６ａを挿入する際は、図８（Ｅ）の様に、挿入部３６ａの厚さＳ２と、可動部ケース３５の内側に生じた隙間Ｓ１の間に、隙間ΔＳが生じるので、スムーズに挿入できる。そして、図８（Ｆ）の様に奥まで挿入すると、挿入部３６ａの背面に設けた凸部３６ｂが後面３５ｄに接し、かつ、可動部ケース３５に設けた凸部３５ｉが挿入部３６ａに接するので、スペーサー３６が前後にガタつくことなく可動部ケース３５の内部に保持され、隙間なく安定する。そして挿入後、図７の様に、ビス３７および３８で可動部ケース３５と可動ベース３１を締結すると、可動部１２を組み立てた状態が形成される。
【００２９】
次に、これを固定部１４に組み込んでストロボユニット８に仕上げる様子を説明する。図１０は固定部１４の分解図である。まず、リアベース３９の軸受穴３９ａにロックアーム４０の回転軸４０ａを挿入して図１１（Ａ）の状態にし、図１１（Ｂ）の様に裏側からビス４１で固定する。そしてロックバネ４２のフック部４２ａをリアベース３９のバネ掛け部３９ｂに引掛け、フック部４２ｂをロックアーム４０のバネ掛け部４０ｂに引掛ける。そしてロックレバー４３をリアベース３９の摺動レール３９ｃに組み込む。そして、ガイドプレート４４に第二レバー軸４５を可締め結合してから、リアベース３９にビス４６および４７で結合する。さらに、ゴム材で形成されたクッション部４８を、ガイドプレート４４に貼着固定する。
【００３０】
次に、ここへ可動部１２を組み込む。まず、図１２の太線矢印の様に、スペーサー３６の摺動爪３６ｃでガイドプレート４４のレール部４４ｂを挟む様にして組み込み、付勢部１３を適宜折りたたんで、第二レバー１６の第一軸穴１６ａが第二レバー軸４５に勘合する様に組み込む。
【００３１】
次に、図１３の様に、ガイドシャフト４９をスペーサー３６の摺動穴３６ｈに挿入して端部４９ａをガイドプレート４４の取付穴４４ａに挿入し、その下方から保持板５０に設けた取付穴５０ａをガイドシャフト４９の端部４９ｂに勘合させて、ビス５１で固定する。すると、ガイドプレート４４のレール部４４ｂとガイドシャフト４９が垂直方向に並び、これに沿ってスペーサー３６が上下方向に摺動可能な状態となる。
【００３２】
次に、図１４の様に、リード線２３〜２６をリアベース３９の配線部３９ｄに接着剤で固定する。そして図１０のフロントベース５２をビス５３〜５５で取り付ける。次に、５６はストロボフレキで、ストロボ制御に必要な各種回路および電気素子類を装備しており、リード線２３〜２６が接続される。このストロボフレキ５６をフレキホルダー５７に折り畳んで取り付ける。そして、このフレキホルダー５７をリアベース３９の背面に配置して、ビス５８〜６０で固定する。
【００３３】
また、６１は３００Ｖ程度の電圧でストロボ発光に必要な電力を充電するメインコンデンサで、リード線６２および６３でストロボフレキ５６に接続される。これをリアベース３９のコンデンサ取付部３９ｅに取り付ける。最後に、サイドプレート６４をリアベース３９の側面にビス６５で固定すると、図３で示したストロボユニット８が完成する。
【００３４】
本発明による電子機器（カメラ）は以上の様に構成されている。
【００３５】
次に、このカメラの操作について説明する。まずストロボを使用しない通常の撮影では、図１（Ａ）の様に、可動部１２は撮影者の操作で下方へ押し下げられ、トップカバー４の開口部４ａに収納された状態になっている。メインスイッチ９をＯＮすると、鏡筒ユニット６が沈胴状態からワイド端状態まで繰り出し、撮影可能となる。撮影者は背面の画像表示部７で被写体像を確認し、レリーズボタン１１を押して撮影する。つぎに、使用中に被写体像が通常より暗いとカメラが判断すると、画像表示部７にストロボ撮影を促すアイコンが表示され、撮影者はそれに応じてロックレバー４３を操作する。すると、図１（Ｂ）の様に可動部１２が収納位置から上昇位置まで移動する。
この上昇動作について説明する。
【００３６】
図１５はストロボユニット８を一部切り欠いた正面図である。また、図１６はスペーサー３６、ロックアーム４０、ロックレバー４３の動作状態で、スペーサー３６は断面（斜線部）で示している。
【００３７】
まず、図１（Ａ）の様に可動部１２が押し下げられた状態では、図１６（Ａ）の様に、ロックアーム４０が時計方向へ回転し、先端部４０ｃがロックレバー４３のリブ部４３ａを右方向に寄せた位置で静止している。この状態では、ロックアーム４０の係止部４０ｄがスペーサー３６の係止爪３６ｆの真上に位置している。スペーサー３６（可動部１２）は先述の様に付勢部１３によって上方へ付勢されているが、この係止部４０ｄによって上昇しない様に係止された状態となっている。
【００３８】
次に、図１６（Ｂ）の様に撮影者がロックレバー４３を左方向に操作すると、リブ部４３ａが先端部４０ｃを押してロックアーム４０を反時計方向に回転させるので、係止部４０ｄが係止爪３６ｆの真上から退避する。するとこの係止部４０ｄが係止爪３６ｆを係止しなくなるので、スペーサー３６（可動部１２）は付勢部１３の付勢力によって上方へ移動する。このとき、付勢部１３の動きは、図５（Ａ）から図５（Ｂ）の様に、付勢バネ１８の一対の可動腕部１８ａおよび１８ｂが離反する様に動く力によって、第一レバー１５と第二レバー１６のバネ掛けビス１９および２０も離反する様に動く。
【００３９】
そして、可動部１２が図１６（Ｃ）の位置まで上昇すると、ストッパー部３６ｇがガイドプレート４４に設けたクッション部４８に当たって、それ以上の上昇を止める。そしてロックレバー４３から手を離すと、図１６（Ｄ）の様に、ロックアーム４０が回転してロックレバー４３を右方向へ戻す。
【００４０】
以上の操作により、可動部１２が上昇し、被写体へ向けてストロボ発光可能な状態となる。この状態で、撮影者はストロボを使用した撮影を行なうことができる。図８（Ｆ）において、キセノン管２２から発光した光は、直接、あるいはリフレクター２９で反射して、フレネルレンズ２１ａに達し、それを透過して開口窓３５ｂから被写体へ向け投光される。しかし一部の光は内部で乱反射する。しかし、可動部ケース３５は前述の通り遮光性の樹脂材料で形成しており、かつ、開口窓３５ｂと下面３５ｂ以外は外部と遮断された密閉構造であるため、乱反射した光が可動部ケース３５を抜けて外部へ漏れることはない。
【００４１】
また、ストロボ発光時は、リード線２５および２６を経由して約３００Ｖの電圧を入力されたトリガー３２から、リード線３０およびリフレクター２９を経由してキセノン管２２の外径部２２ｃへ約５ｋＶのトリガー電圧が印加される。これを受けて、リード線２３および２４から約３００Ｖの電圧を入力されたキセノン管２２が発光する。いずれも高電圧であるが、前述の通り、可動部ケース３５は開口窓３５ｂと下面３５ｃ以外を密閉構造としているため、外部との絶縁性を良好に保つことができる。また、開口窓３５ｂにも絶縁性のフレネルカバー２１を設けて内側のキセノン管２１やリード線３０を覆っているので、撮影者に不快感を覚えるようなことを抑制できる。さらに、密閉構造としているため、外部からの水分やゴミ類の浸食も防止しやすく、かつ、外部からの圧力によって可動部ケース３５が分裂したり破損したりすることも回避できる。
【符号の説明】
【００４２】
１  カメラ本体、２  フロントカバー、３  リアカバー、４  トップカバー、
４ａ  開口部、５  電池収納部、６  鏡筒ユニット、７  画像表示部、
８  ストロボユニット、９  メインスイッチ、１０  ズームレバー、
１１  レリーズボタン、１２  可動部、１３  付勢部、１４  固定部、
１５  第一レバー、１５ａ  第一軸穴、１５ｂ  第二軸穴、１５ｃ  ビス穴、
１６  第二レバー、１６ａ  第一軸穴、１６ｂ  第二軸穴、１６ｃ  ビス穴、
１７  レバー中間軸、１８  付勢バネ、１８ａ〜１８ｂ  可動腕部、
１９〜２０  バネ掛けビス、２１  フレネルカバー、２１ａ  フレネルレンズ、
２２ｂ  テーパ面、２２  キセノン管、２２ａ〜２２ｂ  端子部、２２ｃ  外径部、
２３〜２６  リード線、２７〜２８  ゴム輪、２９  リフレクター、２９ａ  接続部、
３０  リード線、３１  可動部ベース、３１ａ〜３１ｃ  爪部、
３１ｄ  トリガー取付部、３１ｅ  リード線出口、３１ｆ  軸受部、３２  トリガー、
３２ａ〜３２ｂ  入力部、３２ｃ  出力部、３３  チューブ、３４  第一レバー軸、
３５  可動部ケース、３５ａ  前面、３５ｂ  開口窓、３５ｃ  下面、３５ｄ  後面、
３５ｅ  右面、３５ｆ  左面、３５ｇ〜３５ｈ  凸部、３５ｉ  凸部、
３６  スペーサー、３６ａ  挿入部、３６ｂ  凸部、３６ｃ  摺動爪、
３６ｄ〜３６ｅ  摺動穴、３６ｆ  係止爪、３６ｇ  ストッパー部、３７〜３８  ビス、
３９  リアベース、３９ａ  軸受穴、３９ｂ  バネ掛け部、３９ｃ  摺動レール、
３９ｄ  配線部、３９ｅ  コンデンサ取付部、４０  ロックアーム、４０ａ  回転軸、
４０ｂ  バネ掛け部、４０ｃ  先端部、４０ｄ  係止部、４１  ビス、
４２  ロックバネ、４２ａ〜４２ｂ  フック部、４３  ロックレバー、４３ａ  リブ部、
４４  ガイドプレート、４４ａ  取付穴、４４ｂ  レール部、４５  第二レバー軸、
４６〜４７  ビス、４８  クッション部、４９  ガイドシャフト、
４９ａ〜４９ｂ  端部、５０  保持板、５０ａ  取付穴、５１  ビス、
５２  フロントベース、５３〜５５  ビス、５６  ストロボフレキ、
５７  フレキホルダー、５８〜６０  ビス、６１  メインコンデンサ、
６２〜６３  リード線、６４  サイドプレート、６５  ビス
【図１】
2016085246.tif 000003
【図２】
2016085246.tif 000004
【図３】
2016085246.tif 000005
【図４】
2016085246.tif 000006
【図５】
2016085246.tif 000007
【図６】
2016085246.tif 000008
【図７】
2016085246.tif 000009
【図８】
2016085246.tif 000010
【図９】
2016085246.tif 000011
【図１０】
2016085246.tif 000012
【図１１】
2016085246.tif 000013
【図１２】
2016085246.tif 000014
【図１３】
2016085246.tif 000015
【図１４】
2016085246.tif 000016
【図１５】
2016085246.tif 000017
【図１６】
2016085246.tif 000018